(57)【要約】【課題】指をグローブ本体に保持させる指保持部材を、グローブ本体から取り外すことができるグローブを提供すること。【解決手段】  本考案のグローブは、グローブ本体１と、指をグローブ本体１側に締めて保持させる指保持部材２と、指保持部材２をグローブ本体１に着脱可能に取り付ける取付部材３と、を備える。このため、この実施形態１に係るグローブは、指をグローブ本体１に保持させる指保持部材２を、グローブ本体１から取り外すことができる。【選択図】  図１
0003210240.tif 000002
【実用新案登録請求の範囲】
【請求項１】
グローブ本体と、
指を前記グローブ本体側に締めて保持させる指保持部材と、
前記指保持部材を前記グローブ本体に着脱可能に取り付ける取付部材と、
を備え、
前記グローブ本体は、手の甲側の甲側部分と、手の平側の平側部分と、を有し、前記甲側部分には、手の甲が見える開口部が設けられていて、
前記取付部材の周縁部は、前記平側部分のうち前記開口部に対向する箇所に固定されていて、前記取付部材には、入口と出口とがそれぞれ設けられていて、
前記指保持部材は、前記入口から前記取付部材と前記平側部分との間に挿入し、かつ、前記出口から前記取付部材および前記平側部分の外側に出す第１帯部と、少なくとも一部が前記取付部材と前記平側部分との間に位置する第２帯部と、前記入口から前記取付部材および前記平側部分の外側に位置する第３帯部と、前記第１帯部の一面と前記第３帯部の他面とを、あるいは、前記第１帯部の他面と前記第３帯部の一面とを、相互に着脱可能に止めて、前記指保持部材および前記取付部材により指を通す輪を大小調整可能に形成する止部と、前記第３帯部の一面あるいは前記第１帯部の一面であって、前記止部により止められた時に前記開口部に対向する面に設けられている表示部と、を有し、前記第１帯部、前記第２帯部および前記第３帯部は、帯状に一体に連続している、
ことを特徴とするグローブ。
【請求項２】
グローブ本体と、
指を前記グローブ本体側に締めて保持させる指保持部材と、
前記指保持部材を前記グローブ本体に着脱可能に取り付ける取付部材と、
を備え、
前記グローブ本体は、手の甲側の甲側部分と、手の平側の平側部分と、を有し、前記甲側部分には、手の甲が見える開口部と１個もしくは複数個の挿通孔とがそれぞれ設けられていて、
前記取付部材の周縁部は、前記平側部分のうち前記開口部に対向する箇所に固定されていて、前記取付部材には、入口と出口とがそれぞれ設けられていて、
前記指保持部材は、前記入口から前記取付部材と前記平側部分との間に挿入し、かつ、前記出口から前記取付部材および前記平側部分の外側に出す第１帯部と、少なくとも一部が前記取付部材と前記平側部分との間に位置する第２帯部と、前記入口から前記取付部材および前記平側部分の外側に位置する第３帯部と、先端部分を前記第１帯部に設けられている挿通口および前記挿通孔に挿通し着脱可能に結んで前記甲側部分に止めて、前記指保持部材および前記取付部材により指を通す輪を大小調整可能に形成する第４帯部と、前記第３帯部の面のうち前記第４帯部により止められた時に前記開口部に対向する面に設けられている表示部と、を有し、前記第１帯部、前記第２帯部、前記第３帯部および前記第４帯部は、帯状に一体に連続している、
ことを特徴とするグローブ。
【請求項３】
グローブ本体と、
指を前記グローブ本体側に締めて保持させる指保持部材と、
前記指保持部材を前記グローブ本体に着脱可能に取り付ける取付部材と、
を備え、
前記グローブ本体は、手の甲側の甲側部分と、手の平側の平側部分と、を有し、前記甲側部分には、手の甲が見える開口部が設けられていて、
前記取付部材の周縁部は、前記平側部分のうち前記開口部に対向する箇所に固定されていて、前記取付部材には、入口と出口とがそれぞれ設けられていて、
前記指保持部材は、前記入口から前記取付部材と前記平側部分との間に挿入し、かつ、前記出口から前記取付部材および前記平側部分の外側に出す第１帯部と、少なくとも一部が前記取付部材と前記平側部分との間に位置する第２帯部と、前記入口から前記取付部材および前記平側部分の外側に位置する第３帯部と、前記第３帯部に隣接する第４帯部と、前記第４帯部を前記第１帯部に設けられている挿通口に挿通して前記第３帯部側に折り返した時に対向する前記第３帯部の面と前記第４帯部の面とを、相互に着脱可能に止めて、前記指保持部材および前記取付部材により指を通す輪を大小調整可能に形成する止部と、前記第４帯部の前記第３帯部に対向する面に対して反対側の面であって、前記止部により止められた時に前記開口部に対向する面に設けられている表示部と、を有し、前記第１帯部、前記第２帯部、前記第３帯部および前記第４帯部は、帯状に一体に連続している、
ことを特徴とするグローブ。
【請求項４】
指を前記指保持部材と共に前記グローブ本体側に締めて保持させる補助指保持部材を備え、
前記グローブ本体は、補助挿通孔が設けられている外皮と、前記外皮の内側に装着されている内皮と、前記外皮および前記内皮に形成されている指挿入袋と、を有し、
前記補助指保持部材は、一端が前記内皮の前記指挿入袋に固定されていて、他端に補助挿通口が設けられている第１補助帯部と、一端が前記第１補助帯部と対をなすように前記内皮の前記指挿入袋に固定されていて、他端を前記補助挿通口および前記補助挿通孔に挿通し着脱可能に結んで前記外皮に止めて、前記内皮の前記指挿入袋を大小調整可能に絞る第２補助帯部と、を有する、
ことを特徴とする請求項１〜３のいずれか１項に記載のグローブ。
【考案の詳細な説明】
【技術分野】
【０００１】
本考案は、ベースボール用のグローブやソフトボール用のグローブに関する。
【背景技術】
【０００２】
指をグローブ本体側に保持させるグローブは、たとえば、特許文献１にある。特許文献１のグローブは、外皮の内側に装着される内皮の手の平が触れる面で、薬指挿入袋の開口付近に、保持帯材の一端と押さえ片とを、それぞれ固定し、保持帯材の他端を、内皮と押さえ片との間に通過させてかつ外皮から外側に突出させてなるものである。
特許文献１のグローブの使用例は、手をグローブの中に挿入すると共に、薬指を保持帯材と内皮との間に挿通させかつグローブの薬指挿入袋中に挿入させ、その状態で、外皮から外側に突出する保持帯材の他端を引っ張って保持帯材の長さを調整して、薬指を内皮の手の平が触れる面に適度の力で押圧して保持させる。
これにより、薬指の力をグローブに伝えてグローブの操作性を高めることができる。また、保持帯材の長さを一度調整することにより、薬指をスムーズに保持帯材と内皮との間に挿通させかつグローブの薬指挿入袋中に挿入させることができる。しかも、保持帯材の長さを再調整することにより、薬指を内皮に確実に保持させることができ、かつ、他の使用者が同一のグローブを使用することも可能である。
【先行技術文献】
【特許文献】
【０００３】
【特許文献１】実用新案登録第３２０４８３９号公報
【考案の概要】
【考案が解決しようとする課題】
【０００４】
特許文献１のグローブは、保持帯材により、薬指をグローブに保持させることができる。しかしながら、特許文献１のグローブは、保持帯材が内皮に固定されているので、保持帯材を内皮から取り外すことができない。
【０００５】
本考案は、指をグローブ本体に保持させる指保持部材を、グローブ本体から取り外すことができるグローブを提供することにある。
【課題を解決するための手段】
【０００６】
本考案は、グローブ本体と、指をグローブ本体側に締めて保持させる指保持部材と、指保持部材をグローブ本体に着脱可能に取り付ける取付部材と、を備え、グローブ本体が、手の甲側の甲側部分と、手の平側の平側部分と、を有し、甲側部分には、手の甲が見える開口部が設けられていて、取付部材の周縁部が、平側部分のうち開口部に対向する箇所に固定されていて、取付部材には、入口と出口とがそれぞれ設けられていて、指保持部材が、入口から取付部材と平側部分との間に挿入し、かつ、出口から取付部材および平側部分の外側に出す第１帯部と、少なくとも一部が取付部材と平側部分との間に位置する第２帯部と、入口から取付部材および平側部分の外側に位置する第３帯部と、第１帯部の一面と第３帯部の他面とを、あるいは、第１帯部の他面と第３帯部の一面とを、相互に着脱可能に止めて、指保持部材および取付部材により指を通す輪を大小調整可能に形成する止部と、第３帯部の一面あるいは第１帯部の一面であって、止部により止められた時に開口部に対向する面に設けられている表示部と、を有し、第１帯部、第２帯部および第３帯部が、帯状に一体に連続している、ことを特徴とするものである。
【０００７】
本考案は、グローブ本体と、指をグローブ本体側に締めて保持させる指保持部材と、指保持部材をグローブ本体に着脱可能に取り付ける取付部材と、を備え、グローブ本体が、手の甲側の甲側部分と、手の平側の平側部分と、を有し、甲側部分には、手の甲が見える開口部と１個もしくは複数個の挿通孔とがそれぞれ設けられていて、取付部材の周縁部が、平側部分のうち開口部に対向する箇所に固定されていて、取付部材には、入口と出口とがそれぞれ設けられていて、指保持部材が、入口から取付部材と平側部分との間に挿入し、かつ、出口から取付部材および平側部分の外側に出す第１帯部と、少なくとも一部が取付部材と平側部分との間に位置する第２帯部と、入口から取付部材および平側部分の外側に位置する第３帯部と、先端部分を第１帯部に設けられている挿通口および挿通孔に挿通し着脱可能に結んで甲側部分に止めて、指保持部材および取付部材により指を通す輪を大小調整可能に形成する第４帯部と、第３帯部の面のうち第４帯部により止められた時に開口部に対向する面に設けられている表示部と、を有し、第１帯部、第２帯部、第３帯部および第４帯部が、帯状に一体に連続している、ことを特徴とするものである。
【０００８】
本考案は、グローブ本体と、指をグローブ本体側に締めて保持させる指保持部材と、指保持部材をグローブ本体に着脱可能に取り付ける取付部材と、を備え、グローブ本体が、手の甲側の甲側部分と、手の平側の平側部分と、を有し、甲側部分には、手の甲が見える開口部が設けられていて、取付部材の周縁部が、平側部分のうち開口部に対向する箇所に固定されていて、取付部材には、入口と出口とがそれぞれ設けられていて、指保持部材が、入口から取付部材と平側部分との間に挿入し、かつ、出口から取付部材および平側部分の外側に出す第１帯部と、少なくとも一部が取付部材と平側部分との間に位置する第２帯部と、入口から取付部材および平側部分の外側に位置する第３帯部と、第３帯部に隣接する第４帯部と、第４帯部を第１帯部に設けられている挿通口に挿通して第３帯部側に折り返した時に対向する第３帯部の面と第４帯部の面とを、相互に着脱可能に止めて、指保持部材および取付部材により指を通す輪を大小調整可能に形成する止部と、第４帯部の第３帯部に対向する面に対して反対側の面であって、止部により止められた時に開口部に対向する面に設けられている表示部と、を有し、第１帯部、第２帯部、第３帯部および第４帯部が、帯状に一体に連続している、ことを特徴とするものである。
【０００９】
本考案は、指を指保持部材と共にグローブ本体側に締めて保持させる補助指保持部材を備え、グローブ本体が、補助挿通孔が設けられている外皮と、外皮の内側に装着されている内皮と、外皮および内皮に形成されている指挿入袋と、を有し、補助指保持部材が、一端が内皮の指挿入袋に固定されていて、他端に補助挿通口が設けられている第１補助帯部と、一端が第１補助帯部と対をなすように内皮の指挿入袋に固定されていて、他端を補助挿通口および補助挿通孔に挿通し着脱可能に結んで外皮に止めて、内皮の指挿入袋を大小調整可能に絞る第２補助帯部と、を有する、ことが好ましい。
【考案の効果】
【００１０】
本考案のグローブは、取付部材を介してグローブ本体に確実に取り付けられた指保持部材により、指がグローブ本体に適度な力で締められて保持されるため、指の力をグローブ本体に伝えてグローブの操作性を高めることができると共に、指保持部材をグローブ本体から取り外すことができるという効果を奏する。
【図面の簡単な説明】
【００１１】
【図１】本考案の実施形態１に係るグローブを示すグローブ本体の甲側部分から見た斜視図である。
【図２】指保持部材をグローブ本体から取り外した状態を示すグローブ本体の甲側部分から見た斜視図である。
【図３】要部を示す一部断面図（図１におけるＩＩＩ−ＩＩＩ線断面図）である。（Ａ）は、第３帯部の一面に表示部が設けられている指保持部材を示す一部断面図である。（Ｂ）は、第１帯部の一面に表示部が設けられている指保持部材を示す一部断面図である。
【図４】指保持部材をグローブ本体に着脱可能に取り付ける状態を示す説明図である。（Ａ）は、第１帯部を入口に挿入する前の状態を示す説明図である。（Ｂ）は、第１帯部を取付部材と平側部分との間に挿入した状態を示す説明図である。（Ｃ）は、第１帯部を出口から外側に出した状態を示す説明図である。
【図５】本考案の実施形態２に係るグローブを示すグローブ本体の甲側部分から見た斜視図である。
【図６】指保持部材をグローブ本体から取り外した状態を示すグローブ本体の甲側部分から見た斜視図である。
【図７】要部を示す一部断面図（図５におけるＶＩＩ−ＶＩＩ線断面図）である。
【図８】補助指保持部材と内皮とを示すグローブ本体の甲側部分から見た斜視図である。
【図９】本考案の実施形態３に係るグローブを示す要部の一部断面図（図３（Ａ）、図３（Ｂ）、図７に対応する断面図）である。
【考案を実施するための形態】
【００１２】
以下、本考案に係るグローブの実施形態の３例について、図面を参照しながら詳細に説明する。
【００１３】
（実施形態１の構成の説明）
図１〜図４は、本考案に係るグローブの実施形態１を示す。以下、この実施形態１の構成について説明する。
【００１４】
（グローブの構成部品の説明）
この実施形態１に係るグローブは、グローブ本体１と、指保持部材２と、取付部材３と、を備える。
【００１５】
（グローブ本体１の説明）
グローブ本体１は、天然皮革、合成皮革や人工皮革などの皮革からなる。グローブ本体１は、厚皮の外皮１０と、厚さが外皮１０の厚さよりも薄く、外皮１０の内側に装着されている内皮１１と、から構成されている。外皮１０および内皮１１には、指挿入袋が形成されている。
指挿入袋は、親指挿入袋１２、人差指挿入袋１３、中指挿入袋１４、薬指挿入袋１５、小指挿入袋１６からなる。親指挿入袋１２と人差指挿入袋１３との間には、ウエブ部１７が装着されている。
【００１６】
グローブ本体１は、手の甲側の甲側部分１００と、手の平側の平側部分１１０と、を有する。甲側部分１００のほぼ中央部分には、手の甲が見える開口部１０１が設けられている。甲側部分１００および平側部分１１０のうち、指挿入袋（１２、１３、１４、１５、１６）およびウエブ部１７に対して反対側には、手挿入口１２０が形成されている。
【００１７】
（取付部材３の説明）
取付部材３は、指保持部材２をグローブ本体１に着脱可能に取り付けるものである。取付部材３は、グローブ本体１の材質と同材質もしくは樹脂製等からなり、四角板形状をなす。取付部材３の周縁部は、グローブ本体１の平側部分１１０のうち開口部１０１に対向する箇所に、縫製や接着などにより固定されている。この箇所は、グローブ本体１の内皮１１の一部分であって、手の平が接触する箇所である。
取付部材３の両端部には、入口３１と出口３２とがそれぞれ設けられている。取付部材３の中央部分（入口３１と出口３２との間の部分）と内皮１１の平側部分１１０との間には、空間３３が形成されている。
【００１８】
（指保持部材２の説明）
指保持部材２は、指この例では薬指をグローブ本体１側に締めて保持させるものである。指保持部材２は、グローブ本体１の材質と同材質もしくは樹脂製等からなり、帯形状をなす。指保持部材２は、第１帯部２１と、第２帯部２２と、第３帯部２３と、止部２４、２５と、表示部２０と、を有する。第１帯部２１、第２帯部２２および第３帯部２３は、帯状に一体に連続している。
両端部分の第１帯部２１および第３帯部２３の幅は、中間部分の第２帯部２２の幅よりも若干大きい。このため、図２に示すように、第１帯部２１と第２帯部２２との間および第２帯部２２と第３帯部２３との間には、段部が形成されている。
また、第１帯部２１の幅は、取付部材３の入口３１、出口３２および空間３３の取付部材３の短手方向の長さと同等もしくはほぼ同等である。
さらに、第１帯部２１および第２帯部２２の厚さは、空間３３の高さ（すなわち、取付部材３の中央部分と内皮１１の平側部分１１０との間の距離）よりも小さい。なお、グローブ本体１、指保持部材２および取付部材３は、フレキシブルな材質からなるので、第１帯部２１および第２帯部２２の厚さが空間３３の高さに対して同等もしくは大きくても問題はない。
【００１９】
第１帯部２１は、取付部材３の入口３１から取付部材３と平側部分１１０との間（空間３３）に挿入し、かつ、取付部材３の出口３２から取付部材３および平側部分１１０の外側に出す。
第２帯部２２の一部は、取付部材３と平側部分１１０との間（空間３３）に位置し、第２帯部２２の残りの一部は、取付部材３の入口３１、出口３２から取付部材３および平側部分１１０の外側に位置する。なお、第２帯部２２は、全部が取付部材３と平側部分１１０との間（空間３３）に位置する場合がある。この場合においては、取付部材３の入口３１、出口３２から取付部材３および平側部分１１０の外側に位置する部分が無い。すなわち、第２帯部２２の少なくとも一部は、取付部材３と平側部分１１０との間（空間３３）に位置する。
第３帯部２３は、取付部材３の入口３１から取付部材３および平側部分１１０の外側に位置する。
【００２０】
図２、図３（Ａ）に示すように、第１帯部２１の一面（図２の紙面においては、裏側の面）には、一方の止部（例えば、面ファスナのフック面）２４が設けられている。第３帯部２３の他面（図２の紙面においては、表側の面）には、他方の止部（例えば、面ファスナのループ面）２５が設けられている。
第３帯部２３の一面は、止部２４、２５により止められた時にグローブ本体１の甲側部分１００の開口部１０１に対向する面である。この第３帯部２３の一面には、表示部２０が設けられている。表示部２０には、名前、校章、校名、あるいは、自分好みの、あるいは、気持ちを高揚させる２字熟語、４字熟語、マークなど（以下、単に「マークなど」と称する）がレザー彫刻、焼印などの手段により記載表示されている。
止部２４、２５は、取付部材３の出口３２から外側に出ている第１帯部２１の一面と、取付部材３の入口３１から外側に位置する第３帯部２３の他面とを、相互に着脱可能に止めて、指保持部材２および取付部材３により指を通す輪２６を大小調整可能に形成するものである。
【００２１】
あるいは、図３（Ｂ）に示すように、第１帯部２１の他面（図３（Ａ）に示す第１帯部２１の一面に対して反対側の面）に一方の止部２４を設け、第３帯部２３の一面（図３（Ａ）に示す第３帯部２３の他面に対して反対側の面）に他方の止部２５を設ける場合がある。
この場合においては、第１帯部２１の一面は、止部２４、２５により止められた時に甲側部分１００の開口部１０１に対向する面である。この第１帯部２１の一面には、表示部２０が設けられている。
なお、第１帯部２１の一面あるいは他面に他方の止部２５を設け、第３帯部２３の他面あるいは一面に一方の止部２４を設ける場合がある。
【００２２】
（実施形態１の使用例の説明）
この実施形態１に係るグローブは、以上のごとき構成からなり、以下、その一使用例について説明する。
【００２３】
まず、図４（Ａ）、（Ｂ）、（Ｃ）に示すように、グローブ本体１の取付部材３に指保持部材２を着脱可能に取り付ける。すなわち、第１帯部２１を入口３１から取付部材３と平側部分１１０との間（空間３３）に挿入し、かつ、出口３２から取付部材３および平側部分１１０の外側に出す。また、第２帯部２２の一部を取付部材３と平側部分１１０との間（空間３３）に位置させる。さらに、第３帯部２３を入口３１から取付部材３および平側部分１１０の外側に位置させる。
【００２４】
つぎに、手をグローブ本体１の手挿入口１２０からグローブ本体１の中すなわち甲側部分１００と平側部分１１０との間に挿入させ、各指（親指、人差指、中指、薬指、小指）を各指挿入袋（親指挿入袋１２、人差指挿入袋１３、中指挿入袋１４、薬指挿入袋１５、小指挿入袋１６）にそれぞれ挿入させ、薬指の付け根部分を取付部材３上に位置させる。
【００２５】
この状態で、図３（Ａ）に示すように、第１帯部２１の一面の一方の止部２４と第３帯部２３の他面の止部２５とを相互に着脱可能に止める。すると、指保持部材２により、薬指がグローブ本体１の平側部分１１０側に適度な力で締められて保持される。これにより、薬指の力をグローブ本体１の平側部分１１０側に伝えてグローブの操作性を高めることができる。
【００２６】
この時、第１帯部２１と第２帯部２２との間の段部が取付部材３の入口３１の縁に当たっていて、かつ、第２帯部２２と第３帯部２３との間の段部が取付部材３の出口３２の縁に当たっている。このため、指保持部材２は、取付部材３を介してグローブ本体１にずれずに確実に取り付けられている。これにより、薬指をグローブ本体１に確実に保持させることができる。
【００２７】
ここで、止部２４、２５で止める時に、指保持部材２および取付部材３により形成される輪２６（図３（Ａ）、（Ｂ）を参照）の大きさを調整することにより、薬指をグローブ本体１に保持させる力の強弱を調整することができる。
しかも、止部２４、２５で輪２６の大きさを調整することにより、他の使用者が同一のグローブを使用することが可能となる。
また、止部２４、２５で仮止めさせて若干大き目の輪２６を形成させておいて、薬指を輪２６の中に通して、止部２４、２５で本止めさせて薬指をグローブ本体１に保持させても良い。
なお、図３（Ｂ）に示すように、第１帯部２１の他面の一方の止部２４と第３帯部２３の一面の止部２５とを相互に着脱可能に止める場合がある。
【００２８】
止部２４、２５で指保持部材２および取付部材３により輪２６が形成されると、図１、図３（Ａ）に示すように、第３帯部２３の一面の表示部２０が、あるいは、図３（Ｂ）に示すように、第１帯部２１の一面の表示部２０が、グローブ本体１の甲側部分１００の開口部１０１に対向する。これにより、開口部１０１から表示部２０に記載表示されているものを見ることがあるいは見せることができる。すなわち、表示部２０に記載表示されているマークなどが開口部１０１を介して見ることがあるいは見せることができる。
【００２９】
グローブ本体１の取付部材３から指保持部材２を取り外す場合は、まず、止部２４、２５を外し、取付部材３と平側部分１１０との間（空間３３）に位置する第２帯部２２の一部を入口３１から外側に出し、また、第１帯部２１を出口３２から取付部材３と平側部分１１０との間（空間３３）に挿入し、かつ、入口３１から外側に出す。これにより、指保持部材２がグローブ本体１の取付部材３から取り外される。
【００３０】
（実施形態１の効果の説明）
本考案の実施形態１に係るグローブは、以上のごとき構成からなり、以下、その効果について説明する。
【００３１】
本考案の実施形態１に係るグローブは、グローブ本体１と、薬指をグローブ本体１側に締めて保持させる指保持部材２と、指保持部材２をグローブ本体１に着脱可能に取り付ける取付部材３と、を備えるものである。このため、本考案の実施形態１に係るグローブは、指保持部材２をグローブ本体１から取り外すことができる。しかも、本考案の実施形態１に係るグローブは、指保持部材２を取付部材３を介してグローブ本体１に再度取り付けることができる。
【００３２】
これにより、本考案の実施形態１に係るグローブは、たとえば中高校の公式試合などの時に、マークなどの表示が認められない場合においては、マークなどが表示部２０に記載表示されている指保持部材２をグローブ本体１から取り外し、マークなどが記載表示されていない指保持部材２を取付部材３を介してグローブ本体１に取り付けることができる。
【００３３】
（実施形態２の説明）
図５〜図８は、本考案に係るグローブの実施形態２を示す。以下、本考案の実施形態２に係るグローブについて説明する。図中、図１〜図４と同符号は、同一のものを示す。
【００３４】
（実施形態２の構成の説明）
以下、この実施形態２の構成について説明する。
グローブ本体１の甲側部分１００であって、外皮１０の小指挿入袋１６には、３個の挿通孔１０２と１個の補助挿通孔１０３とがそれぞれ設けられている。なお、挿通孔１０２は、１個でも良い。
【００３５】
本考案の実施形態２に係るグローブの指保持部材４は、本考案の実施形態１に係るグローブの指保持部材２の構造が異なる。すなわち、指保持部材４は、第１帯部４１と、第２帯部４２と、第３帯部４３と、第４帯部４４と、表示部４０と、を有する。第１帯部４１、第２帯部４２、第３帯部４３および第４帯部４４は、帯状に一体に連続している。
第１帯部４１、第２帯部４２、および第３帯部４３の幅は、第４帯部４４の幅よりも若干大きい。第１帯部４１の端部分（第２帯部４２に対して反対側の部分）には、スリット状の挿通口４５が設けられている。
【００３６】
第１帯部４１は、取付部材３の入口３１から取付部材３と平側部分１１０との間（空間３３）に挿入し、かつ、取付部材３の出口３２から取付部材３および平側部分１１０の外側に出す。
第２帯部４２の一部は、取付部材３と平側部分１１０との間（空間３３）に位置し、第２帯部４２の残りの一部は、取付部材３の入口３１、出口３２から取付部材３および平側部分１１０の外側に位置する。なお、第２帯部４２は、全部が取付部材３と平側部分１１０との間（空間３３）に位置する場合がある。すなわち、実施形態１の場合と同様に、第２帯部４２の少なくとも一部は、取付部材３と平側部分１１０との間（空間３３）に位置する。
第３帯部４３は、取付部材３の入口３１から取付部材３および平側部分１１０の外側に位置する。
第４帯部４４は、第３帯部４３に対して反対側の先端部分を第１帯部４１の挿通口４５およびグローブ本体１の３個の挿通孔１０２に挿通し着脱可能に結んでグローブ本体１の甲側部分１００に止めて、指保持部材４および取付部材３により薬指を通す輪４６を大小調整可能に形成するものである。
【００３７】
第３帯部４３の面のうち第４帯部４４により止められた時にグローブ本体１の甲側部分１００の開口部１０１に対向する面には、表示部４０が設けられている。表示部４０には、マークなどがレザー彫刻、焼印などの手段により記載表示されている。
【００３８】
本考案の実施形態２に係るグローブは、薬指を指保持部材４と共にグローブ本体１側に締めて保持させる補助指保持部材５を備える。指保持部材４は、薬指の付け根部分を保持し、補助指保持部材５は、薬指の付け根部分より指先側の部分を保持する。補助指保持部材５は、対をなす第１補助帯部５１と第２補助帯部５２とを有する。
第１補助帯部５１の一端は、グローブ本体１の内皮１１の薬指挿入袋１５の小指挿入袋１６側に固定されている。第１補助帯部５１の他端には、補助挿通口５０が設けられている。
第２補助帯部５２の一端は、グローブ本体１の内皮１１の薬指挿入袋１５の中指挿入袋１４側に固定されている。第２補助帯部５２の他端は、補助挿通口５０およびグローブ本体１の補助挿通孔１０３に挿通してグローブ本体１の外皮１０の小指挿入袋１６の外側に出し、かつ、着脱可能に結んでグローブ本体１の外皮１０の小指挿入袋１６に止める。これにより、グローブ本体１の内皮１１の薬指挿入袋１５を大小調整可能に絞ることができる。
【００３９】
（実施形態２の使用例の説明）
この実施形態２に係るグローブは、以上のごとき構成からなり、以下、その一使用例について説明する。
【００４０】
まず、グローブ本体１の取付部材３に指保持部材４を着脱可能に取り付ける。すなわち、第１帯部４１を入口３１から取付部材３と平側部分１１０との間（空間３３）に挿入し、かつ、出口３２から取付部材３および平側部分１１０の外側に出す。また、第２帯部４２の一部を取付部材３と平側部分１１０との間（空間３３）に位置させる。さらに、第３帯部４３および第４帯部４４を入口３１から取付部材３および平側部分１１０の外側に位置させる。さらにまた、第４帯部４４の先端部分を第１帯部４１の挿通口４５に挿通して指保持部材４および取付部材３で輪４６を形成させる。かつ、第４帯部４４の先端部分をグローブ本体１の３個の挿通孔１０２に挿通してグローブ本体１の甲側部分１００の外側に出す。この時、第２補助帯部５２の他端の結びを解いておいて、グローブ本体１の内皮１１の薬指挿入袋１５を大きめにしておく。
【００４１】
つぎに、手をグローブ本体１の手挿入口１２０からグローブ本体１の中すなわち甲側部分１００と平側部分１１０との間に挿入させ、各指（親指、人差指、中指、薬指、小指）を各指挿入袋（親指挿入袋１２、人差指挿入袋１３、中指挿入袋１４、薬指挿入袋１５、小指挿入袋１６）にそれぞれ挿入させる。この時、薬指を指保持部材４および取付部材３により形成される輪４６の中に挿入させておいて、かつ、薬指の付け根部分を取付部材３上に位置させる。
【００４２】
この状態で、第４帯部４４の先端部分を着脱可能に結んでグローブ本体１の甲側部分１００に止める。すると、指保持部材４により、薬指の付け根部分がグローブ本体１の平側部分１１０側に適度な力で締められて保持される。これにより、薬指の力をグローブ本体１の平側部分１１０側に伝えてグローブの操作性を高めることができる。
【００４３】
さらに、第２補助帯部５２の他端を着脱可能に結んでグローブ本体１の外皮１０の小指挿入袋１６に止める。すると、補助指保持部材５により、薬指の付け根部分より指先側の部分がグローブ本体１の平側部分１１０側に適度な力で締められて保持される。これにより、薬指のほぼ全体の力をグローブ本体１の平側部分１１０側に確実に伝えてグローブの操作性をさらに高めることができる。
【００４４】
ここで、第４帯部４４の先端部分の結び目および第２補助帯部５２の他端の結び目を調整することにより、薬指をグローブ本体１に保持させる力の強弱を調整することができる。
しかも、結び目の調整により、他の使用者が同一のグローブを使用することが可能となる。
【００４５】
第４帯部４４の先端部分の結び目で指保持部材４および取付部材３により輪４６が形成されると、図５、図７に示すように、第３帯部４３の表示部４０が、グローブ本体１の甲側部分１００の開口部１０１に対向する。これにより、開口部１０１から表示部４０に記載表示されているものを見ることがあるいは見せることができる。すなわち、表示部４０に記載表示されているマークなどが開口部１０１を介して見ることがあるいは見せることができる。
【００４６】
グローブ本体１の取付部材３から指保持部材４を取り外す場合は、まず、第４帯部４４の先端部分の結び目を解いて、第４帯部４４をグローブ本体１の３個の挿通孔１０２および第１帯部４１の挿通口４５から引き抜く。一方、取付部材３と平側部分１１０との間（空間３３）に位置する第２帯部２２の一部を入口３１から外側に出し、また、第１帯部２１を出口３２から取付部材３と平側部分１１０との間（空間３３）に挿入し、かつ、入口３１から外側に出す。これにより、指保持部材４がグローブ本体１の取付部材３から取り外される。
【００４７】
（実施形態２の効果の説明）
本考案の実施形態２に係るグローブは、以上のごとき構成からなり、以下、その効果について説明する。
【００４８】
本考案の実施形態２に係るグローブは、グローブ本体１と、薬指をグローブ本体１側に締めて保持させる指保持部材４と、指保持部材４をグローブ本体１に着脱可能に取り付ける取付部材３と、を備えるものである。このため、本考案の実施形態２に係るグローブは、本考案の実施形態１に係るグローブとほぼ同様の効果を達成することができる。すなわち、本考案の実施形態２に係るグローブは、指保持部材４をグローブ本体１から取り外すことができ、しかも、指保持部材４を取付部材３を介してグローブ本体１に再度取り付けることができる。
【００４９】
特に、本考案の実施形態２に係るグローブは、薬指を指保持部材４と共にグローブ本体１側に締めて保持させる補助指保持部材５を備えるものである。このため、本考案の実施形態２に係るグローブは、薬指を指保持部材４と共にグローブ本体１側にさらに確実に保持させることができる。
【００５０】
（実施形態３の構成、作用、効果の説明）
図９は、本考案に係るグローブの実施形態３を示す。以下、この実施形態３の構成、作用、効果について説明する。図中、図１〜図８と同符号は、同一のものを示す。
【００５１】
本考案の実施形態３に係るグローブは、本考案の実施形態２に係るグローブの変形例である。すなわち、本考案の実施形態３に係るグローブの指保持部材４Ａの構成が、本考案の実施形態２に係るグローブの指保持部材４の構成と若干相違する。
【００５２】
実施形態３の指保持部材４Ａは、実施形態２の指保持部材４に対して、止部４７、４８を有する。第３帯部４３の一面には、一方の止部（例えば、面ファスナのフック面あるいはループ面）４７が設けられている。第４帯部４４の一面には、他方の止部（例えば、面ファスナのループ面あるいはフック面）４８が設けられている。
第３帯部４３の一面と第４帯部４４の一面とは、第４帯部４４を第１帯部４１に設けられている挿通口４５に挿通して第３帯部４３側に折り返した時に対向する面である。
止部４７、４８は、第４帯部４４を第１帯部４１の挿通口４５に挿通して第３帯部４３側に折り返して、相互に対向する第３帯部４３の一面と第４帯部４４の一面とを、相互に着脱可能に止めて、指保持部材４Ａおよび取付部材３により指を通す輪４６を大小調整可能に形成するものである。
第４帯部４４の第３帯部４３の一面に対向する一面に対して反対側の他面であって、止部４７、４８により止められた時に開口部１０１に対向する面には、表示部４０が設けられている。
【００５３】
本考案の実施形態３に係るグローブは、上記のごとき構成からなるので、本考案の実施形態１、２に係るグローブの作用、効果とほぼ同様の作用、効果を達成することができる。
【００５４】
（その他の実施形態の説明）
上述した実施形態１、２、３は、その要旨を逸脱しない限りにおいて、様々に変更が可能である。
たとえば、上述の実施形態１、２、３においては、ベースボール用のグローブやソフトボール用のグローブに適用するものである。しかしながら、本考案においては、ファーストミットやキャッチャミットなどにも適用することができる。しかも、ベースボールやソフトボール以外の球技用のグローブにも適用することができる。
また、上述の実施形態１、２、３においては、薬指をグローブ本体１に保持させるものである。しかしながら、本考案においては、薬指以外の指を１本もしくは複数本の指（薬指を含む場合がある）グローブ本体１に保持させるものであっても良い。
さらに、上述の実施形態２においては、補助指保持部材５を備えるものである。しかしながら、本考案においては、上述の実施形態１、３に補助指保持部材５を備えるものであっても良い。
さらにまた、上述の実施形態１、３においては、止部として、面ファスナのフック面２４、４７と面ファスナのループ面２５、４８とを使用するものである。しかしながら、本考案においては、上述の実施形態１、３における止部として、面ファスナのフック面２４、４７および面ファスナのループ面２５、４８以外のものを使用しても良い。
さらにまた、上述の実施形態２においては、グローブ本体１に挿通孔１０２を設けるものである。しかしながら、本考案においては、上述の実施形態３のグローブ本体１に、上述の実施形態１のグローブ本体１と同様に、挿通孔１０２を設けなくても良い。
さらにまた、本考案においては、取付部材３の入口３１、出口３２の長さと、実施形態１の指保持部材４の第１帯部２１および第２帯部２２の幅、実施形態２の指保持部材４の第１帯部４１および第２帯部４２の幅、実施形態３の指保持部材４Ａの第１帯部４１および第２帯部４２の幅とを、統一しても良い。この場合においては、実施形態１の指保持部材４と実施形態２の指保持部材４と実施形態３の指保持部材４Ａとを、取付部材３を有するグローブ本体１に対して、共通して使用することができる。
【符号の説明】
【００５５】
１…グローブ本体、１０…外皮、１１…内皮、１２…親指挿入袋、
１３…人差指挿入袋、１４…中指挿入袋、１５…薬指挿入袋、１６…小指挿入袋、１７…ウエブ部、
１００…甲側部分、１０１…開口部、１０２…挿通孔、１０３…補助挿通孔、１１０…平側部分、１２０…手挿入口、
２…指保持部材、２０…表示部、２１…第１帯部、２２…第２帯部、
２３…第３帯部、２４、２５…止部、２６…輪、
３…取付部材、３０…周縁部、３１…入口、３２…出口、３３…空間、
４、４Ａ…指保持部材、４０…表示部、４１…第１帯部、４２…第２帯部、
４３…第３帯部、４４…第４帯部、４５…挿通口、４６…輪、４７、４８…止部、
５…補助指保持部材、５０…補助挿通口、５１…第１補助帯部、
５２…第２補助帯部
【図１】
0003210240.tif 000003
【図２】
0003210240.tif 000004
【図３】
0003210240.tif 000005
【図４】
0003210240.tif 000006
【図５】
0003210240.tif 000007
【図６】
0003210240.tif 000008
【図７】
0003210240.tif 000009
【図８】
0003210240.tif 000010
【図９】
0003210240.tif 000011